(57)【要約】【課題】補強綱を要することなく合成樹脂製網状部材のたわみを防止することができると共に、設置作業が容易である侵入防止柵を提供する。【解決手段】動物の侵入を防止するための侵入防止柵２は、複数の合成樹脂製網状部材４と、複数の網状部材４を支持する複数の支柱６と、複数の網状部材４を複数の支柱６に固定するための複数の固定具８とを備える。複数の網状部材４のそれぞれは、上端に位置する上端筋部１０と、上端筋部１０から延びる複数の第１筋部１２と、複数の第１筋部１２と交差する複数の第２筋部１４とを有する。上端筋部１０の幅Ｗｕは複数の第１筋部１２の幅Ｗ１および複数の第２筋部１４の幅Ｗ２よりも大きい。【選択図】図１
2020178646.tif 000002
【特許請求の範囲】
【請求項１】
動物の侵入を防止するための侵入防止柵であって、
複数の合成樹脂製網状部材と、前記複数の網状部材を支持する複数の支柱と、前記複数の網状部材を前記複数の支柱に固定するための複数の固定具とを備え、
前記複数の網状部材のそれぞれは、上端に位置する上端筋部と、前記上端筋部から延びる複数の第１筋部と、前記複数の第１筋部と交差する複数の第２筋部とを有し、
前記上端筋部の幅は前記複数の第１筋部の幅および前記複数の第２筋部の幅よりも大きい侵入防止柵。
【請求項２】
前記上端筋部の厚さは、前記複数の第１筋部と前記複数の第２筋部とが交差する結節点を除いて、前記複数の第１筋部の厚さおよび前記複数の第２筋部の厚さよりも大きい、請求項１記載の侵入防止柵。
【請求項３】
前記複数の固定具は前記上端筋部を前記複数の支柱に固定するための複数の上端固定具を含み、
前記複数の上端固定具のそれぞれは、左右方向に間隔をおいて形成された一対の上側開口および前記一対の上側開口の下方において左右方向に間隔をおいて形成された一対の下側開口を有する上端プレートと、前記一対の上側開口に挿入された上側Ｕボルトと、前記一対の下側開口に挿入された下側Ｕボルトとを含み、
前記上側Ｕボルトは前記上端筋部の上方に配置され、前記下側Ｕボルトは前記上端筋部の下方に配置されている、請求項１または２記載の侵入防止柵。
【請求項４】
前記複数の第１筋部は前記上端筋部の下端から下方に延びており、前記複数の第２筋部は前記上端筋部に対して平行に延びている、請求項１から３までのいずれかに記載の侵入防止柵。
【発明の詳細な説明】
【技術分野】
【０００１】
本発明は、動物の侵入を防止するための侵入防止柵に関する。
【背景技術】
【０００２】
下記特許文献１には、農地や市街地等に野生動物が侵入することを防止するための侵入防止柵が記載されている。この侵入防止柵は、合成樹脂製網状部材と、合成樹脂製網状部材を展張するために複数立設された支柱（端末支柱および中間支柱）と、合成樹脂製網状部材および支柱と係着し、支柱間に展張された複数の補強綱とを備える。
【０００３】
網状部材と支柱は複数の合成樹脂製バンドによって係着されると共に、網状部材と補強綱も複数の合成樹脂製バンドによって係着される。また、補強綱の端部は、端末支柱に設けられた輪部に挿入され、補強綱同士がターンバックルにて固定されることで端末支柱に係着されると共に、中間支柱に対して補強綱は中間支柱に設けられたフックに載置される。
【０００４】
そして、この侵入防止柵においては、展張する網状部材が合成樹脂製であるので、金網と異なり、腐食のおそれがなく耐候性に優れており、環境条件の厳しい場所での長期使用に耐えることができる。また、この侵入防止柵によれば、端末支柱および中間支柱の間に展張された補強綱に網状部材が係着されているから、風や雪の圧力程度、あるいは小動物の体当たりでは網状部材がたわむことがなく、網状部材の自立性が確保される。
【先行技術文献】
【特許文献】
【０００５】
【特許文献１】特開平１０−１４０８８３号公報
【発明の概要】
【発明が解決しようとする課題】
【０００６】
しかしながら、上記特許文献１に記載されている侵入防止柵においては、網状部材のたわみを防止するために複数の補強綱が必要であり、したがって補強綱と網状部材とを複数の合成樹脂バンドで連結する必要があると共に、補強綱同士をターンバックルで固定する必要があり、侵入防止柵の設置に手間がかかるという問題がある。
【０００７】
上記事実に鑑みてなされた本発明の課題は、補強綱を要することなく合成樹脂製網状部材のたわみを防止することができると共に、設置作業が容易である侵入防止柵を提供することである。
【課題を解決するための手段】
【０００８】
上記課題を解決するために本発明が提供するのは以下の侵入防止柵である。すなわち、動物の侵入を防止するための侵入防止柵であって、複数の合成樹脂製網状部材と、前記複数の網状部材を支持する複数の支柱と、前記複数の網状部材を前記複数の支柱に固定するための複数の固定具とを備え、前記複数の網状部材のそれぞれは、上端に位置する上端筋部と、前記上端筋部から延びる複数の第１筋部と、前記複数の第１筋部と交差する複数の第２筋部とを有し、前記上端筋部の幅は前記複数の第１筋部の幅および前記複数の第２筋部の幅よりも大きい侵入防止柵である。
【０００９】
好ましくは、前記上端筋部の厚さは、前記複数の第１筋部と前記複数の第２筋部とが交差する結節点を除いて、前記複数の第１筋部の厚さおよび前記複数の第２筋部の厚さよりも大きい。前記複数の固定具は前記上端筋部を前記複数の支柱に固定するための複数の上端固定具を含み、前記複数の上端固定具のそれぞれは、左右方向に間隔をおいて形成された一対の上側開口および前記一対の上側開口の下方において左右方向に間隔をおいて形成された一対の下側開口を有する上端プレートと、前記一対の上側開口に挿入された上側Ｕボルトと、前記一対の下側開口に挿入された下側Ｕボルトとを含み、前記上側Ｕボルトは前記上端筋部の上方に配置され、前記下側Ｕボルトは前記上端筋部の下方に配置されているのが好ましい。前記複数の第１筋部は前記上端筋部の下端から下方に延びており、前記複数の第２筋部は前記上端筋部に対して平行に延びているのが好ましい。
【発明の効果】
【００１０】
本発明が提供する侵入防止柵においては、合成樹脂製網状部材の上端筋部の幅が第１筋部の幅および第２筋部の幅よりも大きいので、第１筋部および第２筋部よりも剛性の高い上端筋部によって網状部材のたわみを防止することができる。また、本発明の侵入防止柵においては、上端筋部によって網状部材のたわみを防止しているため、従来技術で用いられていた補強綱は不要であり、かつ網状部材と補強綱とを合成樹脂製バンドで連結する作業や補強綱同士をターンバックルで固定する作業（従来技術では必要であった作業）も不要であるので設置作業が容易であり、部品点数の低減を図ることができる。
【図面の簡単な説明】
【００１１】
【図１】本発明に従って構成された侵入防止柵の正面図。
【図２】図１に示す侵入防止柵の平面図。
【図３】図１に示す侵入防止柵の側面図。
【図４】（ａ）図１に示すＡ部背面側の拡大図、（ｂ）（ａ）におけるＤ−Ｄ矢視図。
【図５】図１に示すＢ部背面側の拡大図。
【図６】図１に示すＣ部背面側の拡大図。
【発明を実施するための形態】
【００１２】
以下、本発明に従って構成された侵入防止柵の好適実施形態について図面を参照しつつ説明する。
【００１３】
図１を参照して説明すると、全体を符号２で示す侵入防止柵は、複数の合成樹脂製網状部材４と、複数の網状部材４を支持する複数の支柱６と、複数の網状部材４を複数の支柱６に固定するための複数の固定具８とを備える。なお、図面には、単一の合成樹脂製網状部材４が示されているが、図示の網状部材４の長手方向（図１の左右方向）端部のそれぞれに他の合成樹脂製網状部材４が配置される。
【００１４】
図１および図４に示すとおり、網状部材４は、上端に位置する上端筋部１０と、上端筋部１０から延びる複数の第１筋部１２と、複数の第１筋部１２と交差する複数の第２筋部１４とを有する。図示の実施形態の網状部材４は全体として格子状に形成されており、上端筋部１０は図１における左右方向に延び、各第１筋部１２は上端筋部１０の下端から下方に延び、各第２筋部１４は上端筋部１０に対して平行に延びている。各第１筋部１２と各第２筋部１４とが交差する結節点１６のそれぞれは、第１筋部１２と第２筋部１４とが一体的に形成されている。なお、網状部材４の網目形状については、図示の実施形態では正方形状であるが、長方形状でもよく、あるいは菱形状や亀甲形状等であってもよい。
【００１５】
図４を参照して説明を続けると、上端筋部１０の幅Ｗｕは第１筋部１２の幅Ｗ１および第２筋部１４の幅Ｗ２よりも大きくなっており（Ｗｕ＞Ｗ１、Ｗｕ＞Ｗ２）、上端筋部１０の剛性は、第１筋部１２の剛性および第２筋部１４の剛性よりも高くなっている。上端筋部１０の幅Ｗｕは、たとえば１５〜４０ｍｍ程度でよく、第１筋部１２の幅Ｗ１および第２筋部１４の幅Ｗ２は、たとえば２〜１０ｍｍ程度でよい。なお、第１筋部１２の幅Ｗ１および第２筋部１４の幅Ｗ２は一定である必要はなく、結節点１６から離れるに従って次第に細くなっていてもよい。
【００１６】
１〜６ｍｍ程度でよい網状部材４の厚さは一定である必要はなく、上端筋部１０の厚さが、結節点１６を除いて第１筋部１２の厚さおよび第２筋部１４の厚さよりも大きくてもよい。これによって、第１筋部１２の剛性および第２筋部１４の剛性よりも上端筋部１０の剛性が一層高まることになる。なお、結節点１６の厚さは上端筋部１０の厚さよりも大きくてもよい。
【００１７】
網状部材４の目合は、網状部材４に作用する風や雪の圧力を軽減するため１０〜１５０ｍｍ程度であるのが好ましく、透光性、通風性、景観および強度の観点から２０〜７０ｍｍ程度であるのがより好ましい。
【００１８】
網状部材４の材質は、ポリプロピレンもしくはポリエチレン等のポリオレフィン、ポリエステル、アラミド、ナイロンまたはビニロン等の適宜の合成樹脂でよいが、高密度ポリエチレン（ＨＤＰＥ）であるのが好ましい。高密度ポリエチレンから網状部材４を形成すると、比較的軽量であり、耐酸性、耐アルカリ性および耐海水性に優れ、腐食のおそれがないと共に耐候性に優れており、環境条件の厳しい場所での長期使用に耐えることができる。
【００１９】
網状部材４を形成する際は、たとえば黒色の高密度ポリエチレン等の合成樹脂製板状部材（図示していない。）に適宜の間隔をおいて円形開口を複数形成し、次いで互いに直交する２軸方向に延伸した後、徐冷することにより形成することができる。このように網状部材４は、上記合成樹脂製板状部材等の単一材料から一体成型されているのが好ましい。これによって、第１筋部と第２筋部が編み込まれている場合と異なり、網状部材４の目合いがほつれるおそれや、網状部材４の目開きが拡張するおそれを防止することができる。また、合成樹脂製板状部材に対して互いに直交する２軸方向に延伸して規則的な格子構造を形成することによって、網状部材４の抗張力を高めることができる。なお、網状部材４を形成する際は、ダイの上下運動で格子状に成形してもよく、ノズルから押し出されたストランドを溶着交差させてもよい。このような網状部材４の製造方法については、公知の技術（たとえば特開昭５５−９０３３８号公報参照。）を用いることができる。
【００２０】
網状部材４は全体として幅１〜４ｍ程度、長さ５〜５０ｍ程度に形成され、ロール状に巻かれて搬送され得る。そして、図示の実施形態では図１ないし図３に示すとおり、網状部材４は、支柱６に支持されて起立した立面部分４ａと、立面部分４ａの下端から地面に沿って延びる底面部分４ｂとを有するように、立面部分４ａの下端において折り曲げられて設置されている。図１ないし図３に示すとおり、網状部材４の底面部分４ｂは複数のアンカー部材１８によって地面に固定されている。適宜の合成樹脂または鋼材から形成され得る複数のアンカー部材１８は、図２を参照することによって理解されるとおり、網状部材４の長手方向において互いに間隔をおいて、かつ底面部分４ｂの基端側（立面部分４ａに近い側）と底面部分４ｂの先端側とに互い違いに配置されている。
【００２１】
網状部材４を支持する支柱６は、鋼材に溶融亜鉛メッキまたは樹脂被覆等を施した適宜の金属材料から円筒状に形成されており、支柱６の長さ寸法（上下方向寸法）はたとえば１〜３ｍ程度でよい。支柱６は、適宜の間隔（たとえば１〜３ｍ程度）をおいて地面に配置されており、所定の深さ（たとえば６００ｍｍ程度）まで地中に差し込まれた円筒状の基礎部材２０（図１および図３参照。）に支柱６の下端が差し込まれて固定されている。なお、基礎部材２０としては、支柱６の外径よりも外径が細い金属製円筒部材を用いることができる。また、基礎部材２０の長さはたとえば８００〜１５００ｍｍ程度でよい。
【００２２】
図１に示すとおり、網状部材４を支柱６に固定するための固定具８は、網状部材４の上端筋部１０を支柱６に固定するための複数の上端固定具２２と、網状部材４の立面部分４ａのうち上端筋部１０以外の部分を支柱６に固定するための複数の他の固定具２４とを含む。
【００２３】
図４を参照して上端固定具２２について説明する。各上端固定具２２は、左右方向に間隔をおいて形成された一対の上側開口（符号省略）および一対の上側開口の下方において左右方向に間隔をおいて形成された一対の下側開口（符号省略）を有する上端プレート２６と、一対の上側開口に挿入された上側Ｕボルト２８と、一対の下側開口に挿入された下側Ｕボルト３０とを含む。図４（ａ）に示すとおり、上側Ｕボルト２８は網状部材４の上端筋部１０の上方に配置され、下側Ｕボルト３０は上端筋部１０の下方に配置されている。
【００２４】
また、図４に示すとおり、上側Ｕボルト２８の雄ねじ部２８ａには一対の上側ナット３２が締結され、下側Ｕボルト３０の雄ねじ部３０ａには一対の下側ナット３４が締結されている。そして、支柱６と上端プレート２６との間に上端筋部１０が挟み込まれた状態で、支柱６側から上側Ｕボルト２８が一対の上側開口に挿入されて上側Ｕボルト２８の雄ねじ部２８ａに上側ナット３２が締結され、かつ支柱６側から下側Ｕボルト３０が一対の下側開口に挿入されて下側Ｕボルト３０の雄ねじ部３０ａに下側ナット３４が締結されていることによって、網状部材４の上端筋部１０が支柱６に固定されている。
【００２５】
図５に示すとおり、他の固定具２４は、左右方向に間隔をおいて形成された一対の開口（符号省略）を有する他のプレート３６と、一対の開口に挿入されたＵボルト３８と、Ｕボルト３８の雄ねじ部３８ａに締結された一対のナット４０とを含む。Ｕボルト３８は、網状部材４の任意の第２筋部１４の上方または下方に配置され得る。そして、支柱６と他のプレート３６との間に第１筋部１２が挟み込まれた状態で、支柱６側からＵボルト３８が一対の開口に挿入されてＵボルト３８の雄ねじ部３８ａにナット４０が締結されていることによって、網状部材４の立面部分４ａのうち上端筋部１０以外の部分が支柱６に固定されている。
【００２６】
図示の実施形態では図６に示すとおり、侵入防止柵２は、さらに、網状部材４の上方において各支柱６の上端側部分に付設された碍子４２と、碍子４２を介して支柱６に支持された電柵線４４とを備える。図示の実施形態の碍子４２は、上下方向に間隔をおいて各支柱６の上端側部分に付設された上側碍子４２ａおよび下側碍子４２ｂから構成されている。各支柱６の上側碍子４２ａには上側電柵線４４ａが支持され、各支柱６の下側碍子４２ｂには下側電柵線４４ｂが支持されている。上側電柵線４４ａおよび下側電柵線４４ｂには、野生動物に対して軽い電気ショックを与えることができる程度の微弱な電流が印加される。なお、図示の実施形態では、２本の電柵線４４が設けられているが、電柵線４４の本数は任意であり、電柵線４４が設けられていなくてもよい。
【００２７】
上述したとおりの侵入防止柵２を設置する際は、まず、適宜の間隔（たとえば１〜３ｍ程度）をおいて所定の深さ（たとえば６００ｍｍ程度）まで、ハンマー等を用いて複数の基礎部材２０を地中に打ち込む。次いで、地中に打ち込んだ基礎部材２０に支柱６を差し込んで固定する。この際、支柱６の下端側部分を地中に埋め込み、地面から露出する支柱６の高さが所定高さとなるように調整する。次いで、ロール状に巻かれて搬送された網状部材４を展開しながら、網状部材４の上端筋部１０を上端固定具２２で各支柱６に順次固定すると共に、網状部材４の立面部分４ａのうち上端筋部１０以外の部分を他の固定具２４で各支柱６に順次固定する。この際、上端筋部１０を上に向けて網状部材４を各支柱６に固定する。
【００２８】
網状部材４を各支柱６に固定した後、網状部材４の下端側部分を地面に沿って折り曲げて立面部分４ａと底面部分４ｂとを形成し、アンカー部材１８を地中に打ち込んで底面部分４ｂを地面に固定する。そして、あらかじめ各支柱６に付設した碍子４２を介して電柵線４４を設置する。このようにして設置された侵入防止柵２においては、農地や市街地等に野生動物が侵入することを網状部材４によって防止することができる。また、侵入防止柵２においては、野生動物が侵入防止柵２の下方の地面を掘って侵入防止柵２をくぐり抜けることを網状部材４の底面部分４ｂによって防止することができる。さらに、侵入防止柵２においては、野生動物が網状部材４を登って侵入防止柵２を越えることを電柵線４４によって防止することができる。
【００２９】
以上のとおりであり図示の実施形態の侵入防止柵２においては、合成樹脂製網状部材４の上端筋部１０の幅Ｗｕが第１筋部１２の幅Ｗ１および第２筋部１４の幅Ｗ２よりも大きいので、第１筋部１２および第２筋部１４よりも剛性の高い上端筋部１０によって網状部材４のたわみを防止することができる。また、図示の実施形態の侵入防止柵２においては、上端筋部１０の厚さが、結節点１６を除いて第１筋部１２の厚さおよび第２筋部１４の厚さよりも大きいので、第１筋部１２および第２筋部１４の剛性よりも上端筋部１０の剛性が一層高くなっており、より効果的に網状部材４のたわみを防止することができる。
【００３０】
そして、侵入防止柵２においては、上端筋部１０によって網状部材４のたわみを防止しているため、従来技術で用いられていた補強綱は不要であり、かつ網状部材４と補強綱とを合成樹脂製バンドで連結する作業や補強綱同士をターンバックルで固定する作業（従来技術では必要であった作業）も不要であるので設置作業が容易であり、部品点数の低減を図ることができる。
【００３１】
さらに、図示の実施形態の侵入防止柵２においては、上側Ｕボルト２８が上端筋部１０の上方に配置され、下側Ｕボルト３０が上端筋部１０の下方に配置されているので、幅Ｗｕが比較的大きい上端筋部１０を容易かつ確実に支柱６に固定することができ、設置作業時における網状部材１０のたわみの発生をより確実に防止することができる。
【符号の説明】
【００３２】
２：侵入防止柵
４：合成樹脂製網状部材
６：支柱
８：固定具
１０：上端筋部
１２：第１筋部
１４：第２筋部
２２：上端固定具
２６：上端プレート
２８：上側Ｕボルト
３０：下側Ｕボルト
Ｗｕ：上端筋部の幅
Ｗ１：第１筋部の幅
Ｗ２：第２筋部の幅
【図１】
2020178646.tif 000003
【図２】
2020178646.tif 000004
【図３】
2020178646.tif 000005
【図４】
2020178646.tif 000006
【図５】
2020178646.tif 000007
【図６】
2020178646.tif 000008